(57)【要約】【課題】安価でシャッタ部材の帯電を防ぐことのできるシート搬送装置及び画像形成装置を提供する。【解決手段】シート搬送手段によって搬送されるシートＳの斜行を補正するレジストレーションユニット１２に設けられ、レジストレーションローラ８とレジストレーションコロ１３のニップ部１２ｂよりもシート搬送方向上流側で、搬送されるシートＳにより押圧され、シートＳと当接する当接位置からシートＳをレジストレーションローラ８とレジストレーションコロ１３のニップ部１２ｂに進入させる通過位置に移動するシャッタ部材１５に、シートＳと当接してシートＳの除電を行うようアースされる除電ブラシ１８を当接させる。【選択図】図４
2015124065.tif 000002
【特許請求の範囲】
【請求項１】
シートを搬送するシート搬送手段と、
前記シート搬送手段によって搬送されるシートの斜行を補正する斜行補正部と、を備え、
前記斜行補正部は、
シートを搬送する回転体対と、
前記回転体対のニップ部よりもシート搬送方向上流側で、搬送されるシートにより押圧され、シートと当接する当接位置からシートを前記回転体対のニップ部に進入させる通過位置に移動するシャッタ部材と、
シートの除電を行うようアースされた除電手段と、を備え、
前記除電手段によって前記シャッタ部材を除電することを特徴とするシート搬送装置。
【請求項２】
シートを搬送するシート搬送手段と、
前記シート搬送手段によって搬送されるシートの斜行を補正する斜行補正部と、を備え、
前記斜行補正部は、
シートを搬送する回転体対と、
前記回転体対のニップ部よりもシート搬送方向上流側で、搬送されるシートにより押圧され、シートと当接する当接位置からシートを前記回転体対のニップ部に進入させる通過位置に移動するシャッタ部材と、
シートと当接してシートの除電を行うようアースされ、かつ前記シャッタ部材に当接して前記シャッタ部材を除電する除電手段と、を備えることを特徴とするシート搬送装置。
【請求項３】
前記回転体対のニップ部のシート搬送方向下流に設けられ、前記回転体対のニップ部を通過したシートを案内するアースされたガイド手段を備え、
前記ガイド手段に前記除電手段を設け、前記ガイド手段を介して前記除電手段をアースすることを特徴とする請求項２記載のシート搬送装置。
【請求項４】
前記シャッタ部材は円弧状の当接面を有し、前記当接面を前記除電手段に当接させながら移動することを特徴とする請求項２又は３記載のシート搬送装置。
【請求項５】
シートを搬送するシート搬送手段と、
前記シート搬送手段によって搬送されるシートの斜行を補正する斜行補正部と、を備え、
前記斜行補正部は、
シートを搬送する回転体対と、
前記回転体対のニップ部よりもシート搬送方向上流側で、搬送されるシートにより押圧され、シートと当接する当接位置からシートを前記回転体対のニップ部に進入させる通過位置に移動するシャッタ部材と、
シートと当接してシートの除電を行うようアースされ、かつ前記シャッタ部材に接離可能に当接して前記シャッタ部材を除電する除電手段と、
前記除電手段を前記シャッタ部材と当接する位置及び前記シャッタ部材から離間する位置の一方に移動させる移動手段と、を備えたことを特徴とするシート搬送装置。
【請求項６】
前記除電手段を保持し、前記除電手段が前記シャッタ部材と当接する位置及び前記シャッタ部材から離間する位置の一方に移動可能な保持手段を備え、
前記移動手段は、前記シャッタ部材と一体に移動するカムと、前記保持手段に設けられたカムフォロア及び前記カムに前記カムフォロアを圧接させる付勢部材と、を備えていることを特徴とする請求項５記載のシート搬送装置。
【請求項７】
画像形成部と、前記画像形成部にシートを搬送する請求項１乃至６のいずれか１項に記載のシート搬送装置とを備えたことを特徴とする画像形成装置。
【発明の詳細な説明】
【技術分野】
【０００１】
本発明は、シート搬送装置及び画像形成装置に関し、特にシャッタ部材によりシートの斜行を補正するものに関する。
【背景技術】
【０００２】
従来、複写機、プリンタ、ファクシミリ等の画像形成装置においては、シートをシート搬送装置により画像形成部に搬送し、感光体ドラム上に形成されたトナー画像をシート上に転写するようにしている。このような画像形成装置において、感光体ドラムに対するシートの位置により、シートに対する画像形成位置精度が大きく左右されることから、シートを搬送する際、シートが斜行した場合には、シートの斜行を補正する必要がある。
【０００３】
そこで、従来、シート搬送装置に斜行補正部を設け、斜行補正部によってシートの斜行を補正することにより、画像形成位置精度の向上を図っている。このような斜行補正部としては、例えば搬送ローラ対と、搬送ローラ対の一方の搬送ローラと同軸上に設けられ、ばね等によりシート搬送方向と逆方向に付勢されたシャッタ部材とを備えたものがある。
【０００４】
この斜行補正部では、斜行した状態でシートが搬送されると、まず先行した側の、シート先端のシート搬送方向と直交する幅方向の一端がシャッタ部材の当接部と当接する。そして、この状態でさらにシートが搬送されると、シートが撓み、遅れた側のシート先端の他端がシャッタ部材の当接部と当接してシート先端が当接部に倣うようになり、シートの斜行が補正される。
【０００５】
斜行が補正された後、更にシートが搬送され、シートの剛性によりシャッタ部材を押す力がシャッタ部材を付勢するバネ等の付勢力より大きくなると、バネ等の付勢力に抗しながらシャッタ部材が回動し、シートは搬送ローラ対のニップ部へと搬送される。なお、シートが通過する際、シャッタ部材は、シートの搬送を妨げることがないよう通過するシートの表面に当接した状態で回動している。そして、シート後端がシャッタ部材を抜けると、シャッタ部材はバネ力により、次に搬送されるシートの斜行補正を行うためホームポジションに戻る。
【先行技術文献】
【特許文献】
【０００６】
【特許文献１】特開２００２−２６５１００号公報
【発明の概要】
【発明が解決しようとする課題】
【０００７】
ところで、このような従来のシート搬送装置において、シャッタ部材は、通常、樹脂部材で構成されている。また、シャッタ部材は、シートの斜行を補正した後、シート後端がシャッタ部材から抜けるまでの間、搬送中のシートと当接している。このため、シートの種類や周囲環境の乾燥度合いによっては、シャッタ部材がシートとの摩擦により帯電してしまう場合がある。
【０００８】
斜行補正部は画像形成部近傍の上流に配置されているが、画像形成部の周囲にはシートに転写されなかったトナーが落ちている。このため、シャッタ部材が帯電してしまうと、画像形成部の周囲に落ちたトナーや、斜行補正部と画像形成部の間の空間を浮遊しているトナーが引き寄せられてシャッタ部材に付着する。
【０００９】
ここで、トナーがシャッタ部材のシートと当接する当接部に付着した場合、搬送されてきたシートが通過する度にシートが付着したトナーを剥ぎ取って行くため、トナーの堆積は起こらない。なお、トナーを剥ぎ取った場合、シートに剥ぎ取ったトナーが付着するが、トナーは堆積されたものではないことから、トナーの付着による画像汚れはほとんどユーザーの目には見えないレベルのものである。
【００１０】
しかし、トナーがシャッタ部材に付着するのはシートと当接する側に限らず、例えば図９の（ａ）に示すように、シャッタ部材１５のシートＳと当接する部分以外の外周面に付着する場合がある。この場合、付着したトナーＴは、搬送されるシートＳにより剥ぎ取られることがないことから堆積していく。
【００１１】
このようにトナーＴが堆積した状態のときに、プリントモードが、例えば定着性を向上させるためシートＳの搬送速度を半分に減速する、厚紙モードに設定される場合がある。この場合、シートＳの搬送速度が遅いため、図９の（ｂ）に示すようにシート後端が抜け、シャッタ部材１５がホームポジションに戻るために回動すると、シャッタ部材１５のトナーＴが堆積している部分がシート後端に接触し、シート後端にトナーＴが付着する。このように、堆積した状態のトナーＴが付着すると、シートが順次排出され、シートが複数枚積み上げられた時に、汚れが目立ってしまう。
【００１２】
なお、シャッタ部材の帯電を防ぐため、シャッタ部材を導電性樹脂で形成しても良いが、導電性樹脂は高価であり、また耐久性が低いことから、当接部にシート先端が突き当たると、当接部がシートにより削られてしまう。そして、シートによる削れの量が増加すると、削れ部にシート先端が突き刺さり、この状態でシャッタ部材が回動すると、シート先端に大きな傷が付いたり、場合によってはジャムを引き起こしたりする可能性がある。
【００１３】
そこで、本発明は、このような現状に鑑みてなされたものであり、安価でシャッタ部材の帯電を防ぐことのできるシート搬送装置及び画像形成装置を提供することを目的とするものである。
【課題を解決するための手段】
【００１４】
本発明は、シート搬送装置において、シートを搬送するシート搬送手段と、前記シート搬送手段によって搬送されるシートの斜行を補正する斜行補正部と、を備え、前記斜行補正部は、シートを搬送する回転体対と、前記回転体対のニップ部よりもシート搬送方向上流側で、搬送されるシートにより押圧され、シートと当接する当接位置からシートを前記回転体対のニップ部に進入させる通過位置に移動するシャッタ部材と、シートの除電を行うようアースされた除電手段と、を備え、前記除電手段によって前記シャッタ部材を除電することを特徴とするものである。
【発明の効果】
【００１５】
本発明のように、シャッタ部材に、シートと当接してシートの除電を行うようアースされる除電手段を当接させることにより、安価でシャッタ部材の帯電を防ぐことができる。
【図面の簡単な説明】
【００１６】
【図１】本発明の第１の実施の形態に係るシート搬送装置を備えた画像形成装置の概略構成を示す図。
【図２】上記シート搬送装置に設けられたレジストレーションユニットの構成を説明する第１の図。
【図３】上記レジストレーションユニットの構成を説明する第２の図。
【図４】上記レジストレーションユニットに設けられた除電ブラシを説明する図。
【図５】本発明の第２の実施の形態に係るシート搬送装置に設けられたレジストレーションユニットの構成を説明する図。
【図６】上記レジストレーションユニットのシートがシャッタ部材に達していない時の状態を説明する図。
【図７】上記レジストレーションユニットのシートが搬送ローラ対のニップ部に進入した直後の状態を説明する図。
【図８】上記レジストレーションユニットのシートが搬送ローラ対のニップ部を通過している時の状態を説明する図。
【図９】従来の斜行補正部の課題を説明する図。
【発明を実施するための形態】
【００１７】
以下、本発明を実施するための形態について図面を用いて詳細に説明する。図１は、本発明の第１の実施の形態に係るシート搬送装置を備えた画像形成装置の概略構成を示す図である。図１において、１は画像形成装置、１Ａは画像形成装置本体である。１Ｂは画像形成装置本体１Ａに設けられ、電子写真方式により画像形成を行う画像形成部であり、この画像形成部１Ｂはトナー像を形成する感光体ドラム２、感光体ドラム２に形成されたトナー像をシートＳに転写する転写ローラ３、定着手段９等を備えている。
【００１８】
また、１Ｃは画像形成装置本体１Ａの下部に設けられ、シートを給送するシート給送装置であり、このシート給送装置１Ｃは、シート収納カセット６に収納されたシートＳを給送するピックアップローラ６ａを備えている。１Ｄはシート給送装置１Ｃから給送されたシートを画像形成部１Ｂに搬送するシート搬送装置であり、このシート搬送装置１Ｄは、シートの斜行を補正する斜行補正部であるレジストレーションユニット１２を備えている。
【００１９】
そして、このような構成の画像形成装置１において、画像形成動作が開始されると、まずレーザースキャナ４により画像信号に応じた光が感光体ドラム２に照射され、このような画像信号に応じた光が照射されることにより、感光体ドラム上に潜像が形成される。次に、この潜像をトナーカートリッジ５に収納されたトナーで現像することにより、感光体ドラム上にトナー画像（可視像）が形成される。
【００２０】
また、このようなトナー画像形成動作に並行してシート給送装置１Ｃのピックアップローラ６ａにより、シート収納カセット６からシートＳが給送される。給送されたシートＳは、シート搬送手段である搬送ローラ７により、搬送ローラ７によって搬送されるシートＳの斜行を補正する斜行補正部であるレジストレーションユニット（以下、レジユニットという）１２に搬送される。この後、シートＳは、レジユニット１２により、斜行が補正されると共に、感光体ドラム２に形成された画像と同期をとって感光体ドラム２と転写ローラ３とにより構成される転写部１Ｅに搬送される。
【００２１】
そして、この転写部１Ｅにおいて、転写ローラ３へバイアスを印加することによってトナー画像がシートＳへ転写される。なお、トナー画像が転写されたシートＳは、この後、定着手段９へ搬送され、この定着手段９において加圧及び加熱されることにより、トナー画像が定着され、この後、排出ローラ１０によって画像形成装置本体上部の排出部１１へ排出される。
【００２２】
ここで、レジユニット１２は、図２に示すように、レジストレーションローラ（以下、レジローラという）８と、レジローラ８と当接して従動回転するレジストレーションコロ（以下、レジコロという）１３を備えている。また、レジユニット１２は、レジコロ１３が回転自在に支持されているレジストレーションコロ軸（以下、コロ軸という）１４と、コロ軸１４にレジコロ１３と同軸上に固定されたシャッタ部材１５を備えている。なお、コロ軸１４は画像形成装置本体１Ａに設けられた不図示のフレームに回転可能に支持されると共に、レジストレーション戻しバネ（以下、戻しバネという）１９により、シートを搬送する方向への回転が規制されるように付勢されている。これにより、シャッタ部材１５も、シートを搬送する方向への回転が規制されている。
【００２３】
そして、搬送ローラ７によりシートＳが搬送されると、シートＳは、まず回転体対である搬送ローラ対１２ａのニップ部１２ｂよりもシート搬送方向上流側で、先行した側の、シート先端のシート搬送方向と直交する幅方向の一端がシャッタ部材１５と当接する。ここで、シャッタ部材１５は、戻しバネ１９によって、所定以上の力が作用するまで回動しないように構成されている。
【００２４】
これにより、この状態でさらにシートＳが搬送されると、シートが撓み、遅れた側のシート先端の他端がシャッタ部材１５と当接してシート先端が当接部に倣うようになり、シートＳの斜行が補正される。つまり、本実施の形態において、シート先端をシャッタ部材１５に突き当て、シートＳの搬送力が所定量まで増加するまでシートＳ先端を付き当て位置で停止させることにより、シートＳの斜行補正を行う。
【００２５】
斜行が補正された後、更にシートＳが搬送され、シートＳの剛性によりシャッタ部材１５を押す力が戻しバネ１９の付勢力より大きくなると、シートＳに押圧されてシャッタ部材１５が上方回動する。つまり、シャッタ部材１５は、シートＳの斜行が補正されると、シートＳにより押圧されてシートＳと当接する当接位置から、シートＳを搬送ローラ対１２ａのニップ部１２ｂに進入させる通過位置に移動する。この後、斜行が補正されたシートＳは、上方回動したシャッタ部材１５が上面に接触した状態で転写部１Ｅへと搬送される。
【００２６】
なお、図２において、１７は搬送ローラ対１２ａのニップ部１２ｂのシート搬送方向下流に設けられたガイド手段である転写前上板金である。そして、シャッタ部材１５を回動させながら、搬送ローラ対１２ａを通過するシートＳは、転写前上板金１７により転写部１Ｅへ案内される。ここで、本実施の形態において、転写前上板金１７は画像形成装置本体１Ａに設けられた不図示のフレームを介してアース（接地）されている。
【００２７】
ところで、シャッタ部材１５のシート搬送方向上流には、図３に示すように搬送ローラ７より搬送されたシートＳをシャッタ部材１５へと案内するレジストレーション入口ガイド１６が設けられている。また、転写前上板金１７にはシートの除電を行う除電手段である除電ブラシ１８が取り付けられており、搬送ローラ対１２ａを通過した後、転写部１Ｅに搬送される前に、シートＳは、除電ブラシ１８に当接する。そして、転写部１Ｅに搬送される前にシートＳが除電ブラシ１８に当接することにより、シート搬送路との摩擦等により帯電したシート表面の静電気の除電が行われる。なお、除電された静電気は、アースに接続された転写前上板金１７によってグラウンドに落ちる。
【００２８】
ところで、本実施の形態において、図４に示すように、除電ブラシ１８は転写前上板金１７のシート搬送方向上流端に、かつ下端が少なくとも搬送ローラ対１２ａのニップ部１２ｂの延長線よりも下方となるような長さを有している。また、シャッタ部材１５には、回動した場合でも、常に除電ブラシ１８と当接することができるように円弧状の当接面１５ａが設けられている。
【００２９】
図４の（ａ）はシートＳがシャッタ部材１５に達していない時、すなわちシャッタ部材１５がシートＳと当接する当接位置であるホームポジションで待機している状態を示している。このとき、シャッタ部材１５の当接面１５ａは除電ブラシ１８に当接しており、シャッタ部材１５を除電することができる。
【００３０】
また、図４の（ｂ）は、シートＳがシャッタ部材１５を回動させながら搬送ローラ対１２ａのニップ部１２ｂを通過している状態を示している。このとき、除電ブラシ１８がシート表面と当接しており、これによりシートＳの除電が行われる。また、このときもシャッタ部材１５の当接面１５ａが除電ブラシ１８に当接しており、シャッタ部材１５を除電することができる。
【００３１】
このように、本実施の形態においては、シャッタ部材１５がホームポジションで待機している状態でも、シートＳにより押圧されて上方回動したときでも、シートＳの除電を行うための除電ブラシ１８がシャッタ部材１５に当接するようにしている。つまり、本実施の形態においては、シートと当接してシートの除電を行う除電ブラシ１８をシャッタ部材１５に常時当接させるようにしており、これによりシャッタ部材１５の帯電を防ぐことができる。
【００３２】
そして、このようにシャッタ部材１５の帯電を防ぐことにより、シャッタ部材１５に対するトナー付着を防ぐことができ、シート後端の汚れの発生を防ぐことができる。また、シャッタ部材１５の除電をシートの除電を行う除電ブラシ１８を用いて行うことにより、シャッタ部材１５の除電のための専用の高価なブラシ部材の追加を必要としたいため、安価で、シャッタ部材１５の帯電を防ぐことができる。
【００３３】
次に、本発明の第２の実施の形態について説明する。図５は、本実施の形態に係るシート搬送装置に設けられたレジユニットの構成を説明する図である。なお、図５において、既述した図３と同一符号は、同一又は相当部分を示している。
【００３４】
図５において、２０は除電ユニットである。この除電ユニット２０は、除電ブラシ１８と、除電ブラシ１８を保持し、除電ブラシ１８が、シャッタ部材１５と当接する位置及びシャッタ部材１５から離間する位置の一方に移動可能なアースに接続された保持手段である除電ブラシホルダ２１を備えている。また、この除電ユニット２０は、除電ブラシ戻しバネ（以下、戻しバネという）２２を備えている。そして、この除電ユニット２０は、転写フレーム２４に、回動軸２３を支点として回動可能に保持されており、除電ユニット２０を、回動軸２３を支点として回動させることにより、除電ブラシ１８をシャッタ部材１５に接離可能に当接させることができる。
【００３５】
また、２５は複数のシャッタ部材１５のうちのコロ軸１４の両側に位置するシャッタ部材１５に設けられたカムである。このカム２５には、付勢部材である戻しバネ２２により付勢された除電ユニット２０の、除電ブラシホルダ２１の幅方向の両端に設けられたカムフォロアである当接部２１ａが圧接している。これにより、シャッタ部材１５を回動させながらシートＳが搬送ローラ対１２ａを通過する際、シャッタ部材１５と一体にカム２５が回転すると、除電ブラシホルダ２１がカム２５により押圧される。そして、このように除電ブラシホルダ２１が押圧されると、除電ユニット２０が回動軸２３を支点として、除電ブラシ１８がシャッタ部材１５から離間する方向に回動する。
【００３６】
図６は、シートＳがシャッタ部材１５に達していない時のレジユニット１２の状態を示す図である。シートＳがシャッタ部材１５に達していないとき、図６の（ａ）に示すように除電ブラシ１８はシャッタ部材１５と当接している。そして、除電ブラシ１８がシャッタ部材１５と当接することでシャッタ部材１５の除電が行われ、シャッタ部材１５に帯電した静電気によって転写前の空間を浮遊しているトナーがシャッタ部材１５に引き寄せされることを防いでいる。また、このときカム２５は、図６の（ｂ）に示すホームポジションに位置している。
【００３７】
図７は、シャッタ部材１５による斜行補正が終了し、搬送ローラ対１２ａのニップ部１２ｂにシートＳが進入した直後のレジユニット１２の状態を示す図である。このとき、シャッタ部材１５は、図７の（ａ）に示すようにシートＳにより押圧されて上方回動し始め、カム２５もシャッタ部材１５と一体にコロ軸１４を中心に回転する。
【００３８】
これにより、除電ブラシホルダ２１の当接部２１ａがカム２５により押圧されて図７の（ｂ）に示すように、除電ユニット２０も回動軸２３を支点として回動する。ここで、このように除電ユニット２０が回動すると、図７の（ａ）に示すように、除電ブラシ１８がシャッタ部材１５から離間し、シャッタ部材１５を除電する位置から搬送中のシートＳの除電を行う位置へと移動する。このように、本実施の形態においては、カム２５と、除電ブラシホルダ２１の当接部２１ａと、戻しバネ２２とにより除電ブラシ１８をシャッタ部材１５と当接する位置及びシャッタ部材１５から離間する位置の一方に移動させる移動手段２６が構成される。
【００３９】
図８は、シートＳが搬送ローラ対１２ａのニップ部１２ｂを通過している時のレジユニット１２の状態を示す図である。このとき、シャッタ部材１５は、シートＳにより押し上げられ、通過するシートＳの上面に接した状態となっている。また、搬送中のシートＳの除電を行う位置へと移動した除電ブラシ１８は、シートＳに当接し、シートの除電を行う。ここで、本実施の形態のように、搬送中のシートＳの除電を行う際、除電ブラシ１８をシャッタ部材１５から離間させることにより、シートＳの除電を確実に行うことができる。
【００４０】
なお、シートＳの後端がシャッタ部材１５を通過すると、シャッタ部材１５は戻しバネ２２により、既述した図６の（ａ）に示すホームポジションへと戻る。また、これに伴いカム２５による押圧が解除され、除電ユニット２０は戻しバネ２２の力により、カム２５に沿って既述した図６の（ｂ）に示す位置に戻る。また、除電ブラシ１８は既述した図６の（ａ）に示す状態へと戻る。
【００４１】
以上説明したように、本実施の形態においては、除電ユニット２０を除電ブラシ１８がシャッタ部材１５と当接する位置及びシャッタ部材１５から離間する位置の一方に移動させるようにしている。そして、シートＳがシャッタ部材１５に達していないときには、除電ブラシ１８をシャッタ部材１５に当接させることにより、シャッタ部材１５の帯電を防ぐことができる。
【００４２】
また、既述したように、本実施の形態においては、除電ブラシ１８を備えた除電ユニット２０を、転写前上板金１７以外の場所である転写フレーム２４に回動可能に設けている。ここで、従来のシート搬送装置において、転写前上板金１７に付着した浮遊トナーに起因する画像汚れを防止するために、転写前上板金１７に対してトナーの持つ電荷とは逆のバイアスを付加するようにしたものがある。
【００４３】
この場合、転写前上板金１７に除電ブラシを設けることができないが、本実施の形態のように構成することにより、既述した第１の実施の形態と同様、シャッタ部材１５に対するトナー付着を防ぐことができ、シート後端の汚れの発生を防ぐことができる。また、シャッタ部材１５の除電をシートの除電を行う除電ブラシ１８を用いて行うことにより、シャッタ部材１５の除電のための専用の高価なブラシ部材の追加を必要としたいため、安価で、シャッタ部材１５の帯電を防ぐことができる。
【００４４】
なお、これまでの説明において、シャッタ部材１５を搬送ローラ対１２ａの一方の回転体であるレジコロ１３と同軸上に配したが、本発明は、これに限らず、レジローラ８と同軸上に配しても良い。つまり、シャッタ部材１５を搬送ローラ対１２ａの少なくとも一方の回転体と同軸上に設けても良い。
【符号の説明】
【００４５】
１…画像形成装置、１Ａ…画像形成装置本体、１Ｂ…画像形成部、１Ｃ…シート給送装置、１Ｄ…シート搬送装置、１Ｅ…転写部、７…搬送ローラ、８…レジストレーションローラ、１２…レジストレーションユニット、１２ａ…搬送ローラ対、１２ｂ…搬送ローラ対のニップ部、１３…レジストレーションコロ、１５…シャッタ部材、１５ａ…当接面、１７…転写前上板金、１８…除電ブラシ、１９…レジストレーション戻しバネ、２０…除電ユニット、２１…除電ブラシホルダ、２１ａ…除電ブラシホルダの当接部、２２…除電ブラシ戻しバネ、２５…カム、２６…移動手段、Ｓ…シート
【図１】
2015124065.tif 000003
【図２】
2015124065.tif 000004
【図３】
2015124065.tif 000005
【図４】
2015124065.tif 000006
【図５】
2015124065.tif 000007
【図６】
2015124065.tif 000008
【図７】
2015124065.tif 000009
【図８】
2015124065.tif 000010
【図９】
2015124065.tif 000011